(57)【要約】【課題】  光学ユニットを移動させるタイミングを制御することで、低画質の画像が撮影されたり、撮影動作に不具合が生じることを防止することが可能なレンズ装置、撮像装置、撮影システムを提供すること【解決手段】  撮像装置に着脱可能であり、物体の光学像を形成する撮影光学系と、撮影光学系の光路に対して挿入および退避するように移動することによって、撮影光学系の光学特性を異ならせる光学ユニットと、光学ユニットの移動を制限するレンズ制御手段と、を有するレンズ装置において、レンズ制御手段は、撮像装置から撮像装置の撮影状態を示す情報を受信し、撮影状態を示す情報に基づき光学ユニットの移動を制限する。【選択図】  図１
2015094927.tif 000002
【特許請求の範囲】
【請求項１】
撮像装置に着脱可能であり、物体の光学像を形成する撮影光学系と、前記撮影光学系の光路に対して挿入および退避するように移動することによって、前記撮影光学系の光学特性を異ならせる光学ユニットと、前記光学ユニットの移動を制限するレンズ制御手段と、を有するレンズ装置であって、
前記レンズ制御手段は、前記撮像装置から、前記撮像装置の撮影状態を示す情報を受信し、前記撮影状態を示す情報に基づき前記光学ユニットの移動を制限することを特徴とするレンズ装置。
【請求項２】
前記撮影状態として、前記撮像装置が静止画の連続撮影中であることを示す情報を受信した場合、前記レンズ制御手段は、前記光学ユニットの移動を制限することを特徴とする請求項１に記載のレンズ装置。
【請求項３】
前記撮影状態として、前記撮像装置が動画撮影中またはライブビュー撮影中であることを示す情報を受信した場合、前記レンズ制御手段は、前記光学ユニットの移動を制限することを特徴とする請求項１または２に記載のレンズ装置。
【請求項４】
前記撮影状態として、前記撮像装置がバルブ撮影中であることを示す情報を受信した場合、前記レンズ制御手段は、前記光学ユニットの移動を制限することを特徴とする請求項１乃至３のいずれか１項に記載のレンズ装置。
【請求項５】
前記光学ユニットの移動を制限するか否かを設定する設定手段をさらに有することを特徴とする請求項１乃至４のいずれか１項に記載のレンズ装置。
【請求項６】
前記光学ユニットは、全系の焦点距離範囲を変更するエクステンダーであることを特徴とする請求項１乃至５のいずれか１項に記載のレンズ装置。
【請求項７】
前記光学ユニットは光学フィルタであることを特徴とする請求項１乃至５のいずれか１項に記載のレンズ装置。
【請求項８】
撮像装置に着脱可能であり、物体の光学像を形成する撮影光学系と、前記撮影光学系の光路に対して挿入および退避するように移動することによって、前記撮影光学系の光学特性を異ならせる光学ユニットを有し、前記撮像装置と通信可能なレンズ装置の制御方法であって、
前記撮像装置から、前記撮像装置の撮影状態を示す情報を受信するステップと、
前記撮影状態を示す情報に基づき前記光学ユニットの移動制御を行うステップを有することを特徴とするレンズ装置の制御方法。
【請求項９】
物体の光学像を形成する撮影光学系と、前記撮影光学系の光路に対して挿入および退避するように移動することによって、前記撮影光学系の光学特性を異ならせる光学ユニットを有するレンズ装置が着脱可能な撮像装置であって、
前記レンズ装置と通信可能な撮像装置制御手段を有し、
前記撮像装置制御手段は、前記撮像装置の撮影状態に基づいて、前記光学ユニットの移動を制御する情報を前記レンズ装置に送信することを特徴とする撮像装置。
【請求項１０】
前記撮像装置が静止画の連続撮影中である場合、前記撮像装置制御手段は、前記光学ユニットの移動を制限する情報を前記レンズ装置に送信することを特徴とする請求項９に記載の撮像装置。
【請求項１１】
前記撮像装置が動画撮影中またはライブビュー撮影中である場合、前記撮像装置制御手段は、前記光学ユニットの移動を制限する情報を前記レンズ装置に送信することを特徴とする請求項９または１０に記載の撮像装置。
【請求項１２】
前記撮像装置がバルブ撮影中である場合、前記撮像装置制御手段は、前記光学ユニットの移動を制限する情報を前記レンズ装置に送信することを特徴とする請求項９乃至１１のいずれか１項に記載の撮像装置。
【請求項１３】
前記光学ユニットの移動を制限するか否かを設定する設定手段をさらに有することを特徴とする請求項９乃至１２のいずれか１項に記載の撮像装置。
【請求項１４】
前記光学ユニットは、全系の焦点距離範囲を変更するエクステンダーであることを特徴とする請求項９乃至１３のいずれか１項に記載の撮像装置。
【請求項１５】
前記光学ユニットは光学フィルタであることを特徴とする請求項９乃至１３のいずれか１項に記載の撮像装置。
【請求項１６】
物体の光学像を形成する撮影光学系と、前記撮影光学系の光路に対して挿入および退避するように移動することによって、前記撮影光学系の光学特性を異ならせる光学ユニットを有するレンズ装置が着脱可能な撮像装置の制御方法であって、
前記撮像装置の撮影状態に基づいて、前記光学ユニットの移動を制限する情報を前記レンズ装置に送信するステップを有することを特徴とする撮像装置の制御方法。
【請求項１７】
物体の光学像を形成する撮影光学系を有するレンズ装置と、該レンズ装置が着脱可能な請求項９乃至１５のいずれか１項に記載の撮像装置と、を有することを特徴とする撮影システム。
【請求項１８】
請求項１乃至７のいずれか１項に記載のレンズ装置と、該レンズ装置が着脱可能な撮像装置と、を有することを特徴とする撮影システム。
【発明の詳細な説明】
【技術分野】
【０００１】
本発明は、撮像装置、レンズ装置および撮影システムに関する。
【背景技術】
【０００２】
交換レンズと、それが着脱可能なカメラ本体を含む撮影システムでは、交換レンズを構成するレンズ等の光学要素が移動することにより、交換レンズの撮影光学系の光学特性が変化する。カメラ本体は、交換レンズの光学要素を駆動する駆動命令を、交換レンズに送信して撮像を行う。こうした撮影システムにおいて、交換レンズにエクステンダーを取り付けることにより、撮影光学系の光学特性をさらに変化させることができる。
【０００３】
特許文献１に記載の撮影システムでは、交換レンズにエクステンダーを内蔵することにより、交換レンズをカメラ本体から取り外すことなく、エクステンダーを光路上の位置と光路外の位置との間で移動させることができる。
【０００４】
また、特許文献２では、エクステンダーが撮影光学系の光路上に挿入されると、測光値が減少することに注目し、エクステンダーが撮影光学系の光軸上に挿入された状態における測光値が所定値以下の場合、露光を禁止する撮影システムを開示している。
【先行技術文献】
【特許文献】
【０００５】
【特許文献１】特開平０２−０７９８１０号公報
【特許文献２】特開平１１−３１１８１８号公報
【発明の概要】
【発明が解決しようとする課題】
【０００６】
交換レンズとカメラ本体を含む撮影システムでは、カメラ本体に交換レンズが装着された状態で、カメラ本体の電源が投入されると、カメラ本体と交換レンズの間で通信が行われる。この通信において、カメラＣＰＵは、交換レンズの撮影光学系に関する特性情報を取得する。特性情報には、交換レンズの変倍範囲に関する情報等が含まれる。特性情報は基本的には、撮影光学系の状態によって変化しない情報であり、撮影光学系を構成する変倍レンズやフォーカスレンズが移動しても変化しない情報である。エクステンダーのような撮影光学系の光学特性を変化させる光学ユニットが、交換レンズに内蔵されていない場合、カメラ本体から交換レンズを取り外すことがなければ、撮影光学系に関する特性情報は変化しない。
【０００７】
しかし、エクステンダーが交換レンズに内蔵されている場合には、交換レンズをカメラ本体から取り外すことなく、撮影光学系の光軸上にエクステンダーが挿入されるため、交換レンズの特性情報が変化する。交換レンズの特性情報が変化した場合、交換レンズに含まれるレンズＣＰＵは、交換レンズの特性情報を更新し、カメラＣＰＵに送信する。カメラＣＰＵは、レンズＣＰＵから取得した特性情報をもとに、撮像を行う。
【０００８】
ここで、上記のような交換レンズの特性情報の更新が、撮影動作中に行われた場合、撮影される画像の画質が低下したり、撮影動作に不具合が生じるおそれがある。
【０００９】
本発明は、光学ユニットを移動させるタイミングを制御することで、低画質の画像が撮影されたり、撮影動作に不具合が生じることを防止することが可能なレンズ装置、撮像装置、撮影システムを提供することを目的とする。
【課題を解決するための手段】
【００１０】
本発明のレンズ装置は、撮像装置に着脱可能であり、物体の光学像を形成する撮影光学系と、前記撮影光学系の光路に対して挿入および退避するように移動することによって、前記撮影光学系の光学特性を異ならせる光学ユニットと、前記光学ユニットの移動を制限する光学ユニット制御手段と、前記撮像装置と通信可能なレンズ制御手段と、を有し、前記レンズ制御手段は、前記撮像装置から、前記撮像装置の撮影状態を示す情報を受信し、前記光学ユニット制御手段は、前記撮影状態を示す情報に基づき前記光学ユニットの移動制御を行うことを特徴とする。
【００１１】
また、本発明の撮像装置は、物体の光学像を形成する撮影光学系と、前記撮影光学系の光路に対して挿入および退避するように移動することによって、前記撮影光学系の光学特性を異ならせる光学ユニットを有するレンズ装置が着脱可能な撮像装置であって、前記レンズ装置と通信可能な撮像装置制御手段を有し、前記撮像装置制御手段は、前記撮像装置の撮影状態に基づいて、前記光学ユニットの移動を制御する情報を前記レンズ装置に送信することを特徴とする。
【００１２】
また、本発明のレンズ装置の制御方法は、撮像装置に着脱可能であり、物体の光学像を形成する撮影光学系と、前記撮影光学系の光路に対して挿入および退避するように移動することによって、前記撮影光学系の光学特性を異ならせる光学ユニットを有し、前記撮像装置と通信可能なレンズ装置の制御方法であって、前記撮像装置から、前記撮像装置の撮影状態を示す情報を受信するステップと、前記撮影状態を示す情報に基づき前記光学ユニットの移動制御を行うステップを有することを特徴とする。
【００１３】
また、本発明の撮像装置の制御方法は、物体の光学像を形成する撮影光学系と、前記撮影光学系の光路に対して挿入および退避するように移動することによって、前記撮影光学系の光学特性を異ならせる光学ユニットを有するレンズ装置が着脱可能な撮像装置の制御方法であって、前記撮像装置の撮影状態に基づいて、前記光学ユニットの移動を制御する情報を前記レンズ装置に送信するステップを有することを特徴とする。
【発明の効果】
【００１４】
本発明によれば、光学ユニットを移動させるタイミングを制御することで、低画質の画像が撮影されたり、撮影動作に不具合が生じることを防止することが可能なレンズ装置、撮像装置、撮影システムを提供することができる。
【図面の簡単な説明】
【００１５】
【図１】本実施形態の撮影システムのブロック図である。
【図２】光学ユニットの移動を制限するシステムのブロック図である。
【図３】静止画の連続撮影中のレンズ装置の動作を説明するフローチャートである。（実施例１）
【図４】静止画の連続撮影中の撮像装置の動作を説明するフローチャートである。（実施例１）
【図５】動画撮影中のレンズ装置の動作を説明するフローチャートである。（実施例２）
【図６】動画撮影中の撮像装置の動作を説明するフローチャートである。（実施例２）
【図７】バルブ撮影中のレンズ装置の動作を説明するフローチャートである。（実施例３）
【図８】バルブ撮影中の撮像装置の動作を説明するフローチャートである。（実施例３）
【発明を実施するための形態】
【００１６】
図１は、本実施形態の撮影システムのブロック図である。撮影システムは、交換レンズ（レンズ装置）１０１と一眼レフデジタルカメラ（以下、「カメラ本体１２０」という）を含む。
【００１７】
交換レンズ１０１は、不図示のマウントを介してカメラ本体（撮像装置）１２０に着脱可能であり、カメラ本体１２０と交換レンズ１０１は、通信端子１２５、１０４を介して情報を通信することができる。また、交換レンズ１０１は、通信端子１２５、１０４を介してカメラ本体１２０から電源の供給を受ける。
【００１８】
交換レンズ１０１は、光学情報（現在の焦点距離、Ｆ値、フォーカス敏感度、ピント補正量等の情報）、特性情報、その他の情報をカメラ本体１２０に送信する。また、交換レンズ１０１は、カメラ本体１２０の種類、カメラ本体１２０の名称、カメラ本体１２０の制御プログラムのバージョン等を示す情報を受信する。
【００１９】
なお、「光学情報」は、変倍レンズやフォーカスレンズ、絞り羽根等の状態に応じて変化する光学的な情報を意味する。「特性情報」は、変倍レンズやフォーカスレンズ、絞り羽根等の状態によって変化しない情報を意味する。例えば、交換レンズ１０１の名称（機種を特定するためのＩＤ情報）、最大通信速度、開放Ｆ値、ズームレンズか否か、自動焦点調節（ＡＦ）可能な像高等の情報を意味する。その他の情報は、動作状態、設定状態、各種情報の要求命令（送信要求）および駆動命令等の情報を含む。
【００２０】
交換レンズ１０１の特性情報や光学情報をカメラ本体１２０が取得することで、カメラ本体１２０は、ＡＦやオートエクスポージャ（ＡＥ）、画像補正等を適切に行うことができる。
【００２１】
交換レンズ１０１は、撮影光学系、各種駆動手段、レンズＣＰＵ（レンズ制御手段）１０２、メモリ１１５を有する。
【００２２】
撮影光学系は、物体（被写体）の光学像を形成する。撮影光学系は、光軸ＯＡに沿って、フォーカスレンズ１０５、変倍レンズ１０３、絞り１０７、手振れ補正レンズ１１０を含む。なお、各レンズは一または複数のレンズによりユニット化されているが、図１には簡単のため単レンズとして図示している。
【００２３】
フォーカスレンズ１０５は、不図示の駆動手段（例えば、ステッピングモータ）によって光軸ＯＡの方向に移動されて焦点調節を行う。駆動手段はフォーカス駆動回路１０６によって駆動され、レンズＣＰＵ１０２によって制御される。また、フォーカスレンズ１０５は、手動焦点調節（マニュアルフォーカス（ＭＦ））時にはフォーカスリング等のＭＦ駆動部１１６を撮影者が手動で操作することによって駆動される。
【００２４】
また、不図示の駆動手段によって、変倍レンズ１０３を光軸方向に移動させることにより、撮影光学系の焦点距離を変化させることができる。
【００２５】
絞り１０７は、カメラ本体１２０の撮像素子１２９に入射する光量を調節する機能を有する。絞り羽根を駆動させることにより、絞りの開口径の大きさが変化する。絞り羽根は、絞り駆動回路１０８により駆動される。
【００２６】
手振れ補正レンズ１１０は、手振れ補正駆動回路１１２によって光軸ＯＡに直交する方向に移動されて像ぶれを補正する。なお、「直交する方向」は光軸ＯＡに直交する成分があればよく、光軸ＯＡに対して斜めに移動されてもよい。
【００２７】
また、交換レンズには、撮影光学系の光路上の位置と光路外の位置の間を移動（挿抜）可能であるエクステンダー１１３が設けられている。エクステンダー操作レバー１１７を撮影者が操作することにより、エクステンダー１１３を移動させることができる。エクステンダー１１３は交換レンズ１０１に内蔵される内蔵エクステンダーである。挿抜検出手段１１４は、エクステンダー１１３が撮影光学系の光軸ＯＡに対して挿抜されたことを検出し、検出結果をレンズＣＰＵ１０２に送信する。
【００２８】
エクステンダー１１３は、カメラ本体１２０から交換レンズ１０１を取り外すことなく、挿抜可能であり、撮影光学系の光学特性を異ならせる（具体的には、全系の焦点距離範囲を変更する）光学ユニットである。図１は、エクステンダー１１３が光軸ＯＡから退避した状態を示している。
【００２９】
この他、カメラ本体１２０から交換レンズ１０１を取り外すことなく、撮影光学系の光路上の位置と光路外の位置の間を移動し、撮影光学系の光学特性を異ならせる光学ユニットとして光学フィルタがある。このような光学フィルタとしては、偏光フィルタ、ＮＤフィルタ、シャープカットフィルタ、紫外線フィルタ等が含まれる。以下、光学ユニットとしてエクステンダーを用いた実施形態について記載するが、光学ユニットとして光学フィルタ等を用いた場合にも本実施形態を同様に適用することができる。
【００３０】
さらに、交換レンズにはエクステンダーロック部材１１８が設けられ、エクステンダー操作レバー１１７の操作を制限することができる。エクステンダーロック部材１１８は、ステッピングモータ等の駆動手段により駆動される。駆動手段は、エクステンダーロック駆動回路１１９によって制御される。エクステンダーロック駆動回路１１９は、レンズＣＰＵ１０２によって制御され、光学ユニットの移動を制限する。エクステンダー操作レバー１１７の操作を制限する命令は、カメラＣＰＵ１２１またはレンズＣＰＵ１０２により送信される。
【００３１】
なお、本実施形態では、エクステンダー操作レバー１１７を操作することにより、エクステンダー１１３の挿抜を行っているが、エクステンダー１１３を駆動する駆動回路を設けて、自動でエクステンダー１１３の挿抜を行うこともできる。
【００３２】
レンズＣＰＵ１０２は、マイクロコンピュータから構成されて交換レンズ１０１の各部を制御する制御手段である。レンズＣＰＵ１０２は、カメラＣＰＵ（撮像装置制御手段）１２１と通信可能であり、情報の通信を行う。レンズＣＰＵ１０２は、交換レンズ１０１の特性情報や光学情報、制御方法に関するプログラム等を不図示の内部メモリに格納し、交換レンズ１０１の各部を制御する制御手段である。「光学情報」には、フォーカスレンズ１０５の位置、変倍レンズ１０３の位置、フォーカスレンズ１０５の敏感度情報やピント補正量の情報等が含まれる。
【００３３】
メモリ１１５には、上述した撮影光学系の光学情報、特性情報その他の情報が保存される。
【００３４】
また、交換レンズには、ＡＦまたはＭＦを選択するスイッチが設けられている。スイッチの状態も通信端子１０４、１２５を介して通信される。
【００３５】
カメラ本体１２０は、カメラＣＰＵ１２１、メモリ１２２、メインミラー１２３ａ、サブミラー１２３ｂ、ファインダ光学系、シャッター１２８、撮像素子１２９、表示部１３０、レリーズボタン１３１を有する。
【００３６】
メインミラー１２３ａとサブミラー１２３ｂは、図１に示すミラーダウン状態における位置と不図示のミラーアップ状態における位置の間を移動する。メインミラー１２３ａとサブミラー１２３ｂは、ミラーダウン状態では、光軸ＯＡ上に配置され、ミラーアップ状態では、光軸ＯＡから退避して物体からの光が撮像素子１２９に到達するようにする。
【００３７】
メインミラー１２３ａはハーフミラーから成り、ミラーダウン状態では、物体からの光の一部を反射してファインダ光学系に導く。撮影者は、ファインダ光学系を通過した
被写体像を観察することができる。また、メインミラー１２３ａは、物体からの光の一部を透過して、サブミラー１２３ｂに導く。サブミラー１２３ｂは、ミラーダウン状態では、物体からの光を反射して、ＡＦセンサ１２４に導く。なお、本実施形態は、メインミラー１２３ａとサブミラー１２３ｂを含まないミラーレスカメラにも適用可能である。ファインダ光学系は、ペンタプリズム１２６とファインダ１２７を含む。
【００３８】
ＡＦセンサ１２４は、一対の被写体像の信号の位相差を検出することによって焦点検出を行う。カメラＣＰＵ１２１はＡＦセンサ１２４の検出結果に基づいてＡＦを行う。
【００３９】
カメラＣＰＵ１２１は、マイクロコンピュータから構成されてカメラ本体１２０の各部を制御すると共に、レンズＣＰＵ１０２と通信を行い、レンズＣＰＵ１０２に各種の命令を送信する制御手段である。
【００４０】
メモリ１２２には、撮影光学系の特性情報や光学情報（エクステンダー１１３が光軸ＯＡ上に挿入された状態における撮影光学系の特性情報や光学情報を含む）が保存される。
【００４１】
カメラＣＰＵ１２１は、ＡＦが選択されている場合には、ＡＦセンサ１２４の検出結果に基づいて、合焦状態を得るためのフォーカスレンズ１０５の駆動量を算出する。カメラＣＰＵ１２１は、算出したフォーカスレンズ１０５の駆動量をレンズＣＰＵ１０２に送信し、レンズＣＰＵ１０２は、これに応じてレンズ駆動回路１０６を制御してフォーカスレンズ１０５を合焦位置に駆動させる。この駆動信号は連写中にも送信される。ＭＦを選択している場合には、撮影者が駆動手段１１６を操作してフォーカスレンズ１０５を所定の位置に駆動させる。
【００４２】
カメラＣＰＵ１２１は、不図示の測光センサによる測光結果またはユーザが設定した絞り値に応じた絞り１０７の駆動量を算出し、レンズＣＰＵ１０２に送信する。絞り１０７の駆動量の算出は、カメラ本体１２０に設けられたレリーズボタン１３１が半押しされたときに行われる。レンズＣＰＵ１０２は、絞り駆動回路１０８を制御することにより、絞り１０７を駆動させる。
【００４３】
カメラＣＰＵ１２１は、レリーズボタン１３１が半押しされると、手ブレ補正開始命令をレンズＣＰＵ１０２に送信する。レンズＣＰＵ１０２は、手ブレ補正開始命令を受信すると、手振れ補正駆動回路１１２を制御して手振れ補正レンズ１１０を制御中心位置に保持する。さらに、ＩＳロック駆動回路１１１を制御してメカロック１０９を駆動させてロック状態を解除する。その後、不図示の手振れ検出回路の検出結果に従って手振れ補正駆動回路１１２を制御して手振れ補正レンズ１１０を駆動し、手振れを補正する。
【００４４】
カメラＣＰＵ１２１は、レリーズボタン１３１が全押しされると、メインミラー１２３と、撮像素子１２９の前に設置されたシャッター１２８を駆動し、撮影光学系からの光束を撮像素子１２９に導き、撮影を行う。
【００４５】
撮像素子１２９は、ＣＣＤセンサやＣＭＯＳセンサ等の光電変換素子により構成されている。カメラＣＰＵ１２１は、撮像素子１２９からの出力に基づいて画像データを生成し、記録媒体に記録する。ここで、図示しないモード選択スイッチによって静止画撮影モードが選択されていれば静止画が撮影される。動画撮影モードが選択されていれば動画が撮影される。なお、動画撮影用の録画開始ボタンを別に設けておき、録画開始ボタンが押されたときに動画撮影が開始されるように構成してもよい。
【００４６】
表示部１３０は、撮影モードや撮影条件を示す情報を表示する。なお、表示部１３０にタッチパネル機能を持たせて、表示部１３０を、撮影モード（静止画撮影モードや動画撮影モード）を設定する設定手段としてもよい。
【００４７】
レリーズボタン１３１が半押しされると、それを検出した不図示の検出部からカメラＣＰＵ１２１に対してＳＷ１信号（ＳＷ１＿ＯＮ信号）が出力さる。また、レリーズボタン１３１が全押しされると、検出部からカメラＣＰＵ１２１に対してＳＷ２信号（ＳＷ２＿ＯＮ信号）が出力される。ここで、レリーズボタン１３１の半押しが維持された状態をＳＷ１保持状態と記載し、レリーズボタンの全押しが維持された状態をＳＷ２保持状態と記載する。また、レリーズボタン１３１の半押し状態が解除されると、検出部からカメラＣＰＵ１２１に対してＳＷ１解除信号（ＳＷ１＿ＯＦＦ信号）が出力さる。また、レリーズボタン１３１の全押し状態が解除されると、検出部からカメラＣＰＵ１２１に対してＳＷ２解除信号（ＳＷ２＿ＯＦＦ信号）が出力される。カメラＣＰＵ１２１がＳＷ１信号を受信することで、撮影準備動作（焦点調節動作及び測光動作）が開始される。また、カメラＣＰＵ１２１がＳＷ２信号を受信することで撮影動作が開始される。
【００４８】
ここで、レリーズボタン１３１の半押し状態と全押し状態は、レリーズボタン１３１の押下量によって定められる。具体的には、レリーズボタンが半分程度押下されると半押し状態となり、レリーズボタンがさらに所定量押下されると全押し状態となる。本実施形態では、ＳＷ１信号が出力されるレリーズボタンの押下状態を「半押し」、ＳＷ２信号が出力されるレリーズボタンの押下状態を「全押し」としている。
【００４９】
図２は、エクステンダー１１３の移動を制限する構成を表したブロック図である。エクステンダー操作レバー１１７は、ＥＸＴ＿ＩＮの位置と、ＥＸＴ＿ＯＵＴの位置を移動することができる。ここで、エクステンダー操作レバー１１７が、ＥＸＴ＿ＩＮの位置に存在するときには、エクステンダー１１３は光路上に挿入された状態となる。一方、エクステンダー操作レバー１１７が、ＥＸＴ＿ＯＵＴの位置に存在するときには、エクステンダー１１３は光路上から退避された状態となる。
【００５０】
エクステンダーロック部材１１８は、エクステンダー操作レバー１１７の可動域に挿入及び退避するように移動する。エクステンダーロック部材１１８がＬＯＣＫ＿ＯＮの位置に存在するときには、エクステンダー操作レバー１１７の操作が制限される。つまり、エクステンダー操作レバー１１７のＥＸＴ＿ＩＮの位置からＥＸＴ＿ＯＵＴの位置への移動と、ＥＸＴ＿ＯＵＴの位置からＥＸＴ＿ＩＮの位置への移動を禁止する。エクステンダーロック部材１１８がＬＯＣＫ＿ＯＦＦの位置に存在するときには、エクステンダー操作レバー１１７を操作することができる。
【００５１】
エクステンダーロック部材１１８の駆動制御は、エクステンダーロック駆動回路１１９により行われる。エクステンダーロック駆動回路１１９は、撮像装置の撮影状態を基に、エクステンダー１１３の移動を制御することができる。また、撮影状態を基にカメラで定められたエクステンダー１１３の移動制御命令を実行することもできる。
【実施例１】
【００５２】
実施例１では、静止画の連続撮影中にエクステンダー１１３の移動を制限している。図３は、静止画の連続撮影中（連写中）のレンズ装置の動作を説明するフローチャートであり、「Ｓ」はステップを表す。図３に示すフローチャートは、コンピュータに各ステップの機能を実行させるためのプログラムとして具現化が可能である。実施例１では、エクステンダー１１３の移動を制限するか否かを、レンズＣＰＵ１０２が判断している。
【００５３】
まず、Ｓ１０１でレンズＣＰＵ１０２は、撮像装置が連写撮影モードに設定されたことを示す情報をカメラＣＰＵ１２１から受信する。Ｓ１０２で、レンズＣＰＵ１０２は、撮影モードステータスを更新してＳ１０３に進む。ここで、連写撮影モードに設定されたときは、ステータスを１とし、１枚撮影モードに設定されたときは、ステータスを０にする。
【００５４】
Ｓ１０３では、カメラＣＰＵ１２１から撮影が開始されたことを示す信号を受信し、さらに撮影モードステータスが１であるか否かを判断し、ステータスが１である場合にはＳ１０４に進む。ステータスが０である場合には、Ｓ１０３の判断を繰り返し行う。Ｓ１０４では、レンズＣＰＵ１０２により、エクステンダーロック駆動回路１１９に駆動命令が送信され、エクステンダーロック部材１１８がＬＯＣＫ＿ＯＮの位置に移動される。これにより、エクステンダー操作レバー１１７の操作が制限される。エクステンダーロック部材１１８がＬＯＣＫ＿ＯＮの位置に移動すると、ロック完了信号がレンズＣＰＵ１０２からカメラＣＰＵ１２１に送信される（Ｓ１０５）。その後、カメラで静止画の連続撮影（連写）が開始され、Ｓ１０６では、レンズＣＰＵ１０２が、撮影が終了したことを示す信号をカメラＣＰＵ１２１から受信したか否かを判断する。撮影が終了したことを示す信号を受信した場合は、Ｓ１０７に進む。撮影が終了したことを示す信号を受信していない場合は、Ｓ１０６の判断を繰り返す。
【００５５】
Ｓ１０７では、レンズＣＰＵ１０２は、エクステンダーロック駆動回路１１９に駆動命令を送信し、エクステンダーロック部材１１８をＬＯＣＫ＿ＯＦＦの位置に移動させる。これにより、エクステンダー操作レバー１１７の操作の制限が解除され、Ｓ１０３に移行する。
【実施例２】
【００５６】
実施例２では、実施例１と同様に、静止画の連続撮影中にエクステンダー１１３の移動を制限している。実施例１との相違点としては、実施例２では、エクステンダー１１３の移動を制限するか否かを、カメラＣＰＵ１２１が判断している。
【００５７】
図４は、静止画の連続撮影中（連写中）の撮像装置の動作を説明するフローチャートであり、「Ｓ」はステップを表す。図４に示すフローチャートは、コンピュータに各ステップの機能を実行させるためのプログラムとして具現化が可能である。
【００５８】
まず、Ｓ２０１でカメラＣＰＵ１２１は、撮像装置が連写撮影モードに設定されたことを示す情報をレンズＣＰＵ１０２に送信する。
【００５９】
Ｓ２０２では、カメラＣＰＵ１２１は、撮影が開始されたことを示す信号をレンズＣＰＵ１０２に送信したか否かを判断する。撮影が開始されたことを示す信号をレンズＣＰＵ１０２に送信した場合は、Ｓ２０３において、カメラＣＰＵ１２１は、エクステンダー操作レバー１１７の操作を制限させるロック命令をレンズＣＰＵ１０２に対して送信する。撮影が開始されたことを示す信号がレンズＣＰＵ１０２に送信されない場合は、Ｓ２０２の判断を繰り返し行う。
【００６０】
レンズＣＰＵ１０２は、ロック命令を受信すると、エクステンダーロック部材１１８をＬＯＣＫ＿ＯＮの位置に移動させることにより、エクステンダー操作レバー１１７の操作を制限する。エクステンダー操作レバー１１７の操作が制限されると、レンズＣＰＵ１０２から、ロック完了信号が送信され、カメラＣＰＵ１２１は、ロック完了信号を受信する（Ｓ２０４）。
【００６１】
次に、静止画の連続撮影（連写）が開始され、Ｓ２０５では、撮影が終了したことを示す信号が、カメラＣＰＵ１２１からレンズＣＰＵ１０２に対して送信されたか否かを判断する。撮影が終了したことを示す信号を送信した場合は、Ｓ２０６に進む。撮影が終了したことを示す信号を送信していない場合は、Ｓ２０５の判断を繰り返す。
【００６２】
Ｓ２０６では、カメラＣＰＵ１２１は、エクステンダー操作レバー１１７の操作の制限を解除させる、ロック解除命令をレンズＣＰＵ１０２に対して送信する。これにより、エクステンダー操作レバー１１７の操作の制限が解除され、Ｓ２０２に移行する。
【実施例３】
【００６３】
実施例３では、動画撮影中やライブビュー撮影中にエクステンダー１１３の移動を制限している。図５は、動画撮影中やライブビュー撮影中のレンズ装置の動作を説明するフローチャートであり、「Ｓ」はステップを表す。図５に示すフローチャートは、コンピュータに各ステップの機能を実行させるためのプログラムとして具現化が可能である。実施例３では、エクステンダー１１３の移動を制限するか否かを、レンズＣＰＵ１０２が判断している。
【００６４】
まず、Ｓ３０１でレンズＣＰＵ１０２は、撮像装置が動画撮影モードまたはライブビュー撮影モードに設定されたことを示す情報をカメラＣＰＵ１２１から受信する。このとき、メインミラー１２３ａとサブミラー１２３ｂは、ミラーアップ状態となる。次に、Ｓ３０２では、レンズＣＰＵ１０２は、撮影モードステータスを更新してＳ３０３に進む。ここで、動画撮影モードまたはライブビュー撮影モードに設定されたときは、ステータスを１とし、その他の撮影モードに設定されたときは、ステータスを０にする。
【００６５】
Ｓ３０３では、カメラＣＰＵ１２１から撮影が開始されたことを示す信号を受信し、さらに撮影モードステータスが１であるか否かを判断し、ステータスが１である場合にはＳ３０４に進む。ステータスが０である場合には、Ｓ３０３の判断を繰り返し行う。Ｓ３０４では、レンズＣＰＵ１０２により、エクステンダーロック駆動回路１１９に駆動命令が送信され、エクステンダーロック部材１１８がＬＯＣＫ＿ＯＮの位置に移動される。これにより、エクステンダー操作レバー１１７の操作が制限される。エクステンダーロック部材１１８がＬＯＣＫ＿ＯＮの位置に移動すると、ロック完了信号がレンズＣＰＵ１０２からカメラＣＰＵ１２１に送信される（Ｓ３０５）。
【００６６】
その後、Ｓ３０６では、レンズＣＰＵ１０２が、動画撮影またはライブビュー撮影が終了したことを示す信号をカメラＣＰＵ１２１から受信したか否かを判断する。動画撮影またはライブビュー撮影が終了したことを示す信号を受信した場合は、Ｓ３０７に進む。このとき、メインミラー１２３ａとサブミラー１２３ｂは、ミラーダウン状態となる。動画撮影またはライブビュー撮影が終了したことを示す信号を受信していない場合は、Ｓ３０６の判断を繰り返す。
【００６７】
Ｓ３０７では、レンズＣＰＵ１０２は、エクステンダーロック駆動回路１１９に駆動命令を送信し、エクステンダーロック部材１１８をＬＯＣＫ＿ＯＦＦの位置に移動させる。これにより、エクステンダー操作レバー１１７の操作の制限が解除され、Ｓ３０３に移行する。
【実施例４】
【００６８】
実施例４では、実施例３と同様に、動画撮影中やライブビュー撮影中にエクステンダー１１３の移動を制限している。実施例３との相違点としては、実施例４では、エクステンダー１１３の移動を制限するか否かを、カメラＣＰＵ１２１が判断している。
【００６９】
図６は、動画撮影中やライブビュー撮影中の撮像装置の動作を説明するフローチャートであり、「Ｓ」はステップを表す。図６に示すフローチャートは、コンピュータに各ステップの機能を実行させるためのプログラムとして具現化が可能である。
【００７０】
まず、Ｓ４０１でカメラＣＰＵ１２１は、撮像装置が動画撮影モードまたはライブビュー撮影モードに設定されたことを示す情報をレンズＣＰＵ１０２に送信する。次に、Ｓ４０２では、カメラＣＰＵ１２１は、撮影開始信号をレンズＣＰＵ１０２に送信したか否かを判断する。撮影開始信号をレンズＣＰＵ１０２に送信した場合は、Ｓ４０３において、カメラＣＰＵ１２１は、エクステンダー操作レバー１１７の操作を制限させるロック命令をレンズＣＰＵ１０２に対して送信する。撮影開始信号がレンズＣＰＵ１０２に送信されない場合は、Ｓ４０２の判断を繰り返し行う。
【００７１】
レンズＣＰＵ１０２は、ロック命令を受信すると、エクステンダーロック部材１１８をＬＯＣＫ＿ＯＮの位置に移動させることにより、エクステンダー操作レバー１１７の操作を制限する。エクステンダー操作レバー１１７の操作が制限されると、レンズＣＰＵ１０２から、ロック完了信号が送信され、カメラＣＰＵ１２１は、ロック完了信号を受信する（Ｓ４０４）。
【００７２】
Ｓ４０５では、動画撮影またはライブビュー撮影が終了したことを示す信号が、カメラＣＰＵ１２１からレンズＣＰＵ１０２に対して送信されたか否かを判断する。動画撮影またはライブビュー撮影が終了したことを示す信号を送信した場合は、Ｓ４０６に進む。動画撮影またはライブビュー撮影が終了したことを示す信号を送信していない場合は、Ｓ４０５の判断を繰り返す。
【００７３】
Ｓ４０６では、カメラＣＰＵ１２１は、エクステンダー操作レバー１１７の操作の制限を解除させる、ロック解除命令をレンズＣＰＵ１０２に対して送信する。これにより、エクステンダー操作レバー１１７の操作の制限が解除され、Ｓ４０２に移行する。
【実施例５】
【００７４】
実施例５では、バルブ撮影中にエクステンダー１１３の移動を制限している。バルブ撮影とは、シャッターの開放状態を維持したまま、例えば１秒間を超える長時間の露光を行う撮影方法である。
【００７５】
図７は、バルブ撮影中のレンズ装置の動作を説明するフローチャートであり、「Ｓ」はステップを表す。図７に示すフローチャートは、コンピュータに各ステップの機能を実行させるためのプログラムとして具現化が可能である。実施例５では、エクステンダー１１３の移動を制限するか否かを、レンズＣＰＵ１０２が判断している。
【００７６】
まず、Ｓ５０１でレンズＣＰＵ１０２は、撮像装置がバルブ撮影モードに設定されたことを示す情報をカメラＣＰＵ１２１から受信する。次に、Ｓ５０２では、レンズＣＰＵ１０２は、撮影モードステータスを更新してＳ５０３に進む。ここで、バルブ撮影モードに設定されたときは、ステータスを１とし、その他の撮影モードに設定されたときは、ステータスを０にする。
【００７７】
Ｓ５０３では、カメラＣＰＵ１２１から撮影が開始されたことを示す信号を受信し、さらに撮影モードステータスが１であるか否かを判断し、ステータスが１である場合にはＳ５０４に進む。ステータスが０である場合には、Ｓ５０３の判断を繰り返し行う。Ｓ５０４では、レンズＣＰＵ１０２により、エクステンダーロック駆動回路１１９に駆動命令が送信され、エクステンダーロック部材１１８がＬＯＣＫ＿ＯＮの位置に移動される。これにより、エクステンダー操作レバー１１７の操作が制限される。エクステンダーロック部材１１８がＬＯＣＫ＿ＯＮの位置に移動すると、ロック完了信号がレンズＣＰＵ１０２からカメラＣＰＵ１２１に送信される（Ｓ５０５）。
【００７８】
その後、Ｓ５０６では、レンズＣＰＵ１０２が、バルブ撮影が終了したことを示す信号をカメラＣＰＵ１２１から受信したか否かを判断する。バルブ撮影が終了したことを示す信号を受信した場合は、Ｓ５０７に進む。バルブ撮影が終了したことを示す信号を受信していない場合は、Ｓ５０６の判断を繰り返す。
【００７９】
Ｓ５０７では、レンズＣＰＵ１０２は、エクステンダーロック駆動回路１１９に駆動命令を送信し、エクステンダーロック部材１１８をＬＯＣＫ＿ＯＦＦの位置に移動させる。これにより、エクステンダー操作レバー１１７の操作の制限が解除され、Ｓ５０３に移行する。
【実施例６】
【００８０】
実施例６では、実施例５と同様に、バルブ撮影中にエクステンダー１１３の移動を制限している。実施例５との相違点としては、実施例６では、エクステンダー１１３の移動を制限するか否かを、カメラＣＰＵ１２１が判断している。
【００８１】
図８は、所定の時間継続して露光動作が行われた場合の撮像装置の動作を説明するフローチャートであり、「Ｓ」はステップを表す。図８に示すフローチャートは、コンピュータに各ステップの機能を実行させるためのプログラムとして具現化が可能である。
【００８２】
まず、Ｓ６０１でカメラＣＰＵ１２１は、撮像装置がバルブ撮影モードに設定されたことを示す情報をレンズＣＰＵ１０２に送信する。次に、Ｓ６０２では、カメラＣＰＵ１２１は、撮影開始信号をレンズＣＰＵ１０２に送信したか否かを判断する。撮影開始信号をレンズＣＰＵ１０２に送信した場合は、Ｓ６０３において、カメラＣＰＵ１２１は、エクステンダー操作レバー１１７の操作を制限させるロック命令をレンズＣＰＵ１０２に対して送信する。撮影開始信号がレンズＣＰＵ１０２に送信されない場合は、Ｓ６０２の判断を繰り返し行う。
【００８３】
レンズＣＰＵ１０２は、ロック命令を受信すると、エクステンダーロック部材１１８をＬＯＣＫ＿ＯＮの位置に移動させることにより、エクステンダー操作レバー１１７の操作を制限する。エクステンダー操作レバー１１７の操作が制限されると、レンズＣＰＵ１０２から、ロック完了信号が送信され、カメラＣＰＵ１２１は、ロック完了信号を受信する（Ｓ６０４）。
【００８４】
Ｓ６０５では、バルブ撮影が終了したことを示す信号が、カメラＣＰＵ１２１からレンズＣＰＵ１０２に対して送信されたか否かを判断する。バルブ撮影が終了したことを示す信号を送信した場合は、Ｓ６０６に進む。バルブ撮影が終了したことを示す信号を送信していない場合は、Ｓ６０５の判断を繰り返す。
【００８５】
Ｓ６０６では、カメラＣＰＵ１２１は、エクステンダー操作レバー１１７の操作の制限を解除させる、ロック解除命令をレンズＣＰＵ１０２に対して送信する。これにより、エクステンダー操作レバー１１７の操作の制限が解除され、Ｓ６０２に移行する。
【００８６】
以上、本実施形態について説明したが、本発明は本実施形態に限定されず、その要旨の範囲内で種々の変形及び変更が可能である。
【００８７】
例えば、本実施形態では、エクステンダーロック部材１１８を用いてエクステンダー操作レバー１１７の動作を機械的に制限することで、エクステンダー１１３の移動制御を行っている。ここで、エクステンダー１１３を駆動する駆動回路を設けて、自動でエクステンダー１１３の移動制御を行う場合は、駆動回路の制御を行うことで、エクステンダーの移動を制限することができる。
【００８８】
また、光学ユニットの移動を制限するか否かを撮影者が設定できるようにしてもよい。このとき、交換レンズ１０１またはカメラ本体１２０に、光学ユニットの移動を制限するか否かを設定する設定手段を設ける。撮影者は、設定手段を操作することにより、撮影状態ごとに、光学ユニットの移動を制限するか否かを設定することができる。例えば、静止画の連続撮影中には、光学ユニットの移動を制限することなく、動画撮影中やライブビュー撮影中やバルブ撮影中には、光学ユニットの移動が制限されるように設定することができる。
【符号の説明】
【００８９】
１０１  交換レンズ
１０２  レンズＣＰＵ（レンズ制御手段）
１１３  エクステンダー
１１７  エクステンダー操作レバー
１１８  エクステンダーロック部材
１２０  カメラ本体
１２１  カメラＣＰＵ（撮像装置制御手段）
ＯＡ  光軸
【図１】
2015094927.tif 000003
【図２】
2015094927.tif 000004
【図３】
2015094927.tif 000005
【図４】
2015094927.tif 000006
【図５】
2015094927.tif 000007
【図６】
2015094927.tif 000008
【図７】
2015094927.tif 000009
【図８】
2015094927.tif 000010